(57)【要約】  半導体装置の放熱性が向上する。  半導体装置（１０）と放熱部材（８０）とを締結することで、半導体装置（１０）は、放熱部材（８０）に対して収納領域（５１）の縁部（５２）を支点として、放熱部材（８０）に対して金属基板（４０）から図中下向きの力が作用する。これにより、金属基板（４０）と放熱部材（８０）との間の熱伝導材（８１）がより薄く広がり、金属基板（４０）と放熱部材（８０）との間の放熱性が向上する。さらに、金属基板（４０）の外側に広がった熱伝導材（８１）は、金属基板（４０）の周囲を埋め、金属基板（４０）の周囲の気密性が増加して、気泡の混入等が抑制されて放熱性の低下を防止することができる。このようにして放熱部材（８０）が取り付けられた半導体装置（１０）は放熱性が向上する。
2014041936.tif 000002
【特許請求の範囲】
【請求項１】
半導体素子を備え、放熱部材が設置される半導体装置において、
前記半導体素子が一方の主面に設置された回路基板と、
前記回路基板の他方の主面に設置された金属基板と、
凹状の主面と前記金属基板を前記凹状の主面から突出させるように前記回路基板を収納した、前記凹状の主面の内側に配置された開口部とを備える収納領域と、収納した前記回路基板の前記金属基板と対向して熱伝導材を介して設置される前記放熱部材と螺合するねじ部材が通過するための、前記凹状の主面に開口されたねじ孔と、を備える収納部材と、
を有することを特徴とする半導体装置。
【請求項２】
前記凹状の主面は、前記ねじ孔の外側の前記収納領域が前記放熱部材に向かって突出するように形成されていることを特徴とする請求項１記載の半導体装置。
【請求項３】
前記ねじ孔は、前記収納部材において、収納された前記回路基板の前記金属基板を挟んで対向する位置に形成される、
ことを特徴とする請求項２記載の半導体装置。
【請求項４】
前記金属基板は、設置される前記放熱部材と対向する面が凸状を成している、
ことを特徴とする請求項１記載の半導体装置。
【請求項５】
前記金属基板は、山型であることを特徴とする請求項４記載の半導体装置。
【請求項６】
前記金属基板は、かまぼこ型であることを特徴とする請求項４記載の半導体装置。
【請求項７】
前記ねじ孔は、径の形状が楕円形又は長方形であって、収納された前記回路基板の前記金属基板を挟んで長軸が一致するように一組形成されている、
ことを特徴とする請求項６記載の半導体装置。
【請求項８】
前記収納部材の前記収納領域に収納された前記回路基板は、前記主面の反対側の主面から前記回路基板及び前記回路基板に設置された前記半導体素子が樹脂により封止されている、
ことを特徴とする請求項１記載の半導体装置。
【請求項９】
半導体素子を備える半導体装置に対する放熱部材の取り付け方法において、
前記半導体装置は、
前記半導体素子が一方の主面に設置された回路基板と、
前記回路基板の他方の主面に設置された金属基板と、
凹状の主面と前記金属基板を前記凹状の主面から突出させるように前記回路基板を収納した、前記凹状の主面の内側に配置された開口部とを備える収納領域と、ねじ部材が通過するための、前記凹状の主面に開口されたねじ孔とを備える収納部材と、
を有し、
前記収納部材の前記収納領域に収納された前記回路基板の前記金属基板に対向して、熱伝導材を介して前記放熱部材を前記収納部材に設置し、前記ねじ孔に前記ねじ部材を挿入し、前記収納部材に対して前記放熱部材を螺合する、
ことを特徴とする半導体装置に対する放熱部材の取り付け方法。
【請求項１０】
半導体素子を備え、放熱部材が設置される半導体装置の製造方法において、
凹状の主面と開口部とを備える収納領域と、ねじ部材が通過するねじ孔とを備える収納部材の前記収納領域に、前記収納部材と同方向の凹状の反りを有し、一方の主面に前記半導体素子が設置され、他方の主面に金属基板が配置された回路基板を、前記金属基板を凹状の前記主面から突出させて収納し、
前記収納部材の前記収納領域に収納した前記回路基板上の前記半導体素子を樹脂で封止して、前記回路基板を前記収納部材と反対方向に反らせる、
ことを特徴とする半導体装置の製造方法。
【発明の詳細な説明】
【技術分野】
【０００１】
半導体装置、半導体装置に対する放熱部材の取り付け方法及び半導体装置の製造方法に関する。
【背景技術】
【０００２】
パワー半導体チップを搭載した電力変換用素子等の半導体モジュール（半導体装置）は、放熱フィン等の放熱部材が半導体モジュールの金属基板に設置され、半導体チップから発生した熱が放熱部材により放熱される（例えば、特許文献１参照）。このようにして半導体モジュールの温度上昇を抑制することができる。【０００３】
半導体モジュールに対して放熱フィンを設置する際には、当該放熱フィンまたは半導体モジュールの金属基板に熱伝導グリース等の熱伝導材を塗布しておく。熱伝導材は有機物から構成されており、塗布厚さが厚過ぎると放熱性が弱まるために、できる限り薄く塗布されることが望まれる。このような熱伝導材の塗布後、半導体モジュールの金属基板にねじにより放熱フィンを締結すると、半導体素子の直下であって、放熱フィンの中心部に、熱伝導材の厚さを薄くする力を発生させることができる。これにより、金属基板と放熱フィンとの距離が縮まることで熱伝導材が薄く広がり、半導体素子から発生した熱の放熱性をより向上させることができる（例えば、特許文献２参照）。【０００４】
また、特許文献２のように金属基板（金属ベース）の厚さ方向の形状を変化させて熱伝導材を薄くする技術の他にも、メタルマスクを用いて形状、厚さを制御して熱伝導材を塗布することも可能である。
【先行技術文献】
【特許文献】
【０００５】
【特許文献１】特開２００４−３６３５２１号公報
【特許文献２】特開２０００−０５８７２７号公報
【発明の概要】
【発明が解決しようとする課題】
【０００６】
しかし、特許文献２では、金属ベースの厚さ方向の形状を変化させるために、金属ベースに対して、突起、取り付け穴等を形成する必要があり、また、メタルマスクを用いる方法でも、マスクを準備する必要がある。このように、これらの方法では形成の手間並び準備する手間がかかり、製造コストが増大してしまう。【０００７】
本発明はこのような点に鑑みてなされたものであり、上記と異なる構成により、放熱性が向上した半導体装置、半導体装置に対する放熱部材の取り付け方法及び半導体装置の製造方法を提供することを目的とする。
【課題を解決するための手段】
【０００８】
上記課題を解決するために、半導体素子を備え、放熱部材が設置される半導体装置において、前記半導体素子が一方の主面に設置された回路基板と、前記回路基板の他方の主面に設置された金属基板と、凹状の主面と前記金属基板を前記凹状の主面から突出させるように前記回路基板を収納した、前記凹状の主面の内側に配置された開口部とを備える収納領域と、収納した前記回路基板の前記金属基板と対向して熱伝導材を介して設置される前記放熱部材と螺合するねじ部材が通過するための、前記凹状の主面に開口されたねじ孔と、を備える収納部材とを有する半導体装置が提供される。【０００９】
上記課題を解決するために、このような半導体装置に対する放熱部材の取り付け方法、このような半導体装置の製造方法が提供される。
【発明の効果】
【００１０】
このような半導体装置、半導体装置に対する放熱部材の取り付け方法及び半導体装置の製造方法によれば、半導体装置の放熱性が向上する。
本発明の上記および他の目的、特徴および利点は本発明の例として好ましい実施の形態を表す添付の図面と関連した以下の説明により明らかになるであろう。
【図面の簡単な説明】
【００１１】
【図１】第１の実施の形態に係る半導体装置及び半導体装置に対する放熱部材の取り付け方法を説明するための図である。
【図２】第２の実施の形態に係る半導体装置を説明するための図である。
【図３】第２の実施の形態に係る半導体装置に対する放熱フィンの取り付け方法を説明するための図である。
【図４】第２の実施の形態に係る半導体装置の製造方法を説明するための図である。
【図５】第２の実施の形態に係る別の半導体装置を説明するための図である。
【発明を実施するための形態】
【００１２】
以下、図面を参照して実施の形態について説明する。
［第１の実施の形態］
図１は、第１の実施の形態に係る半導体装置及び半導体装置に対する放熱部材の取り付け方法を説明するための図である。
【００１３】
半導体装置１０は、半導体素子２０を備える。半導体装置１０は、放熱部材８０に設置されて使用される。半導体装置１０が放熱部材８０に設置されるとき、半導体素子２０の下部の金属基板４０と放熱部材８０との間で熱伝導材８１が均一に薄く広げられる。これにより、半導体装置１０では、半導体素子２０の熱を金属基板４０から放熱部材８０に伝導させることができ、熱伝導性が向上するものである。
【００１４】
このような半導体装置１０は、図１（Ａ）に示されるように、半導体素子２０が一方の主面に設置される回路基板３０と、回路基板３０の他方の主面に設置される金属基板４０を備える。
【００１５】
さらに、半導体装置１０は、回路基板３０を収容している収納部材５０を備える。収納部材５０は、額縁（Ｏ字）状または枠状の部材であり、凹状の主面５１ａ（図中下側）とこの凹状の主面５１ａの内側に配置された開口部５４とを備える収納領域５１を有する。収納部材５０は、さらに、凹状の主面５１ａと対向する主面（図中上側）との間を貫通しているねじ孔５３を有する。開口部５４は金属基板４０を凹状の主面から突出させて回路基板３０を収納する。ねじ孔５３には、ねじ部材７０（後述）が挿入され、収納した回路基板３０の金属基板４０と対向して熱伝導材８１を介して設置される放熱部材８０に螺合される。凹状の主面５１ａは、主面５１ａに対応する主面（図中上側）に対して傾斜した平面もしくは曲面で構成されており、ねじ孔５３の外側の収納領域５１に配置された縁部５２が放熱部材８０に向かって突出するように形成されている。ねじ孔５３は、軸が収納部材５０の上面に略垂直となるように形成されている。なお、このようにして収納部材５０の収納領域５１に収納された回路基板３０は半導体素子２０と共に樹脂５５により封止される。
【００１６】
このような構成を有する半導体装置１０を放熱部材８０に設置する取り付け方法について説明する。
まず、放熱部材８０側の金属基板４０が接触する領域に所定の量の熱伝導材８１を配置する（図１（Ａ））。なお、熱伝導材８１は、金属基板４０側に配置しても構わない。また、熱伝導材８１は、一般的に用いられる熱伝導グリース（サーマルコンパウンド）等である。
【００１７】
このように熱伝導材８１が設置された放熱部材８０と半導体装置１０とを固定する。この際、放熱部材８０は半導体装置１０の収納部材５０の収納領域５１の縁部５２で支持される。また、熱伝導材８１は放熱部材８０及び半導体装置１０の金属基板４０に挟まれて広がる（図１（Ｂ））。
【００１８】
半導体装置１０の収納部材５０のねじ孔５３からねじ部材７０を挿入して、挿入したねじ部材７０を放熱部材８０に螺合して、半導体装置１０と放熱部材８０とを締結する（図１（Ｃ））。
【００１９】
この際、半導体装置１０において、放熱部材８０に対して収納領域５１の縁部５２を支点として、金属基板４０の中心部に向かって力が加わり、金属基板４０から図中下向きの力が放熱部材８０に対して作用する。このようにして金属基板４０と放熱部材８０との距離が近づくことで熱伝導材８１がより薄く広がる。このため、金属基板４０と放熱部材８０との間の放熱性が向上する。さらに、熱伝導材８１は、金属基板４０の外側に広がり、金属基板４０の周囲を埋める。このため、金属基板４０の周囲の気密性が増加して、気泡の混入等が抑制されて放熱性の低下を防止することができる。
【００２０】
このように上記半導体装置１０では、半導体素子２０と、半導体素子２０が一方の主面に設置される回路基板３０、回路基板３０の他方の主面に設置される金属基板４０、主面５１ａが凹状の開口部の収納領域５１と、ねじ孔５３とを備える収納部材５０を有する。半導体装置１０は、収納部材５０の収納領域５１に金属基板４０を凹状の主面５１ａから突出させて回路基板３０を収納して、収納した回路基板３０が半導体素子２０と共に樹脂５５により封止される。当該半導体装置１０を金属基板４０と放熱部材８０とを熱伝導材８１を介して固定し、収納部材５０のねじ孔５３からねじ部材７０を挿入して、挿入したねじ部材７０を放熱部材８０に螺合して、半導体装置１０と放熱部材８０とを締結する。
【００２１】
このように半導体装置１０と放熱部材８０とを締結することで、半導体装置１０において、収納領域５１の縁部５２を支点として、収納部材５０から金属基板４０の中心部に向かって力が加わり、放熱部材８０に対して金属基板４０から図中下向きの力が作用する。これにより、金属基板４０と放熱部材８０との間の熱伝導材８１がより薄く広がり、金属基板４０と放熱部材８０との間の放熱性が向上する。さらに、金属基板４０の外側に広がった熱伝導材８１は、金属基板４０の周囲を埋め、金属基板４０の周囲の気密性が増加して、気泡の混入等が抑制されて放熱性の低下を防止することができる。このようにして放熱部材８０が取り付けられた半導体装置１０は放熱性が向上する。
【００２２】
［第２の実施の形態］
第２の実施の形態では、第１の実施の形態の半導体装置についてより具体的な場合を例に挙げて説明する。
【００２３】
図２は、第２の実施の形態に係る半導体装置を説明するための図である。
なお、図２（Ａ）は半導体装置１００の裏面（放熱フィンが取り付けられる側）の平面図、図２（Ｂ）は図２（Ａ）の一点鎖線Ｘ−Ｘにおける半導体装置１００の断面図、図２（Ｃ）は図２（Ａ）の一点鎖線Ｙ−Ｙにおける半導体装置１００の断面図をそれぞれ表している。
【００２４】
半導体装置１００は、複数の半導体素子２００と、複数の半導体素子２００が設置された回路基板３００、回路基板３００に設置されたアルミニウムで構成されたベース基板４００を備える。
【００２５】
回路基板３００は、絶縁基板３１０と、絶縁基板３１０上に形成された銅等の金属箔により形成された回路パターンである回路層３２０とにより構成されている。
さらに、半導体装置１００は、凹状の主面５１１及び開口部５４０を備える収納領域５１０を有すると共に、収納領域５１０の上部に外部端子５６０が形成された樹脂ケース５００を備えている。樹脂ケース５００の主面５１１は漏斗形状またはボール形状であり、内側に向かって凹んでいる。なお、図２（Ｃ）では外部端子５６０の図示を省略している。樹脂ケース５００は、例えば、ガラス繊維で強化されたエポキシ樹脂、ＰＰＳ（ポリ・フェニレン・サルファイド）樹脂により構成されている。また、ねじ孔５３０は、樹脂ケース５００の縁部５２０から開口部５４０までの間に形成されている。ねじ孔５３０は、開口部５４０を挟んで対向してそれぞれ形成されている。ねじ孔５３０の径は、ねじ７００の径よりも大きめに形成されている。それぞれのねじ孔５３０の形状は、２つのねじ孔５３０を結ぶ（一点鎖線Ｘ−Ｘの）方向に長い長方形または楕円形とすることが望ましい。ねじ孔５３０の数は、２か所に限らず、必要に応じて、３か所以上形成するようにしても構わない。この樹脂ケース５００には、収納領域５１０にベース基板４００を図中下側に向けて回路基板３００が収納されている。また、このように収納された回路基板３００の半導体素子２００及び回路層３２０と、樹脂ケース５００の外部端子５６０がアルミワイヤ２１０で電気的に接続されて、これらが封止樹脂５５０により封止されている。封止樹脂５５０は、例えば、柔軟なゲル状樹脂を適用することができる。封止樹脂５５０にゲル状樹脂を用いる場合はこのゲル状樹脂を覆うエポキシ樹脂等の高硬度の蓋を必要とする。また、封止樹脂５５０として、エポキシ樹脂を主成分とする高硬度の樹脂注形による樹脂封止とすることもできる。
【００２６】
なお、ベース基板４００は、図２（Ｂ），（Ｃ）に示すように、最下部（頂点部）が下に凸であって、図中下側に尖った形状（山型）を成している。また、ベース基板４００の頂点部の高さは、樹脂ケース５００の凹状の収納領域５１０内に完全に収まるような高さサイズを成している。
【００２７】
このような半導体装置１００に対する放熱フィン８００の取り付け方法について図３を用いて説明する。
図３は、第２の実施の形態に係る半導体装置に対する放熱フィンの取り付け方法を説明するための図である。
【００２８】
なお、図３（Ａ）は、第２の実施の形態に係る半導体装置１００に対する放熱フィン８００の取り付け、図３（Ｂ）は半導体装置１００ａに対する放熱フィン８００の取り付けをそれぞれ表している。また、図３では、ベース基板４００と放熱フィン８００との間に配置される熱伝導材の記載を省略している。
【００２９】
まず、放熱フィン８００側の半導体装置１００の固定側の略中心領域に所定の量の熱伝導材として熱伝導グリース（図示を省略）を配置して、当該放熱フィン８００に半導体装置１００をベース基板４００が当該熱伝導グリースと対向するように設置する。
【００３０】
半導体装置１００の樹脂ケース５００のねじ孔５３０にねじ７００を挿入し、ねじ７００と放熱フィン８００とを螺合させて、半導体装置１００と放熱フィン８００とを締結する（図３（Ａ））。
【００３１】
この際、半導体装置１００において、放熱フィン８００に螺合したねじ７００により図中下向きに力が加えられると、放熱フィン８００を支持する収納領域５１０の縁部５２０が支点となり、ベース基板４００の中心部に向かって力が加わる。これにより、ベース基板４００から図中下向きの力が放熱フィン８００に対して作用する。
【００３２】
さらに、半導体装置１００のベース基板４００は最下部（頂点部）が下に凸の形状をしているために、ベース基板４００と放熱フィン８００との間の熱伝導グリース（の中心部付近）に対して、周囲よりもより大きな圧力を加えることができる。このため、ベース基板４００の中心部の下方領域に対応する熱伝導グリースの厚さをより薄くできると共に、熱伝導グリースを外側に向けて広げることができる。広げられた熱伝導グリースは、収納領域５１０の縁部５２０により収納領域５１０外に漏れることなく収納領域５１０内を充填してベース基板４００の周囲を埋めることができる。
【００３３】
なお、半導体装置１００と放熱フィン８００とをねじ７００で締結する際には、ねじ孔５３０の径がねじ７００の径よりも大きめに形成されているために、放熱フィン８００に対象の位置ずれが生じても、放熱フィン８００をねじ７００で確実に螺合することが可能となる。
【００３４】
このような半導体装置１００に対する放熱フィン８００の取り付けとの比較のために、樹脂ケースの一方の主面５１１が凹状ではない半導体装置に対する放熱フィンの取り付けについて図３（Ｂ）を用いて説明する。
【００３５】
半導体装置１００ａは、図３（Ｂ）に示すように、半導体装置１００において、一方の主面５１１ａが凹状ではなく平らな樹脂ケース１５００に対して、回路基板３００が設けられている。
【００３６】
このような半導体装置１００ａに対して、半導体装置１００と同様に、樹脂ケース１５００のねじ孔１５３０を貫通させたねじ７００により、放熱フィン８００を締結させる。この場合には、半導体装置１００ａは螺合するねじ７００からの図中下向きの力を受けて、ベース基板４００は、放熱フィン８００から図中上向きの力を受ける。このため、半導体装置１００ａは、ベース基板４００の中心部よりも周縁部側に図中下向きの力が作用するようになる。
【００３７】
このようなことから、半導体装置１００の方が、半導体装置１００ａよりも放熱フィン８００に対して図中下向きにより大きな圧力を加えることができるようになる。したがって、半導体装置１００では、ベース基板４００の下方の熱伝導グリースに大きな圧力を加えることができ、ベース基板４００と放熱フィン８００との間の熱伝導グリースを薄く広げることができるようになる。
【００３８】
このように上記半導体装置１００では、半導体素子２００と、半導体素子２００が一方の主面（図中上側）に設置される回路基板３００、回路基板３００の他方の主面（図中下側）に設置されるベース基板４００、一方の主面５１１が凹状を成して開口部５４０が形成された収納領域５１０を備え、ねじ孔５３０が形成された樹脂ケース５００を備える。半導体装置１００は、樹脂ケース５００の収納領域５１０にベース基板４００を凹状の主面５１１から突出させて回路基板３００を収納して、収納した回路基板３００（の他方の主面（図中上側）側）が半導体素子２００と共に封止樹脂５５０により封止される。当該半導体装置１００をベース基板４００と放熱フィン８００とを熱伝導グリースを介して固定し、樹脂ケース５００のねじ孔５３０からねじ７００を挿入して、挿入したねじ７００を放熱フィン８００に螺合して、半導体装置１００と放熱フィン８００とを締結する。
【００３９】
このように半導体装置１００と放熱フィン８００とを締結することで、半導体装置１００において、収納領域５１０の縁部５２０を支点として、収納部材５００からベース基板４００の中心部に向かって力が加わり、放熱フィン８００に対して下に凸状のベース基板４００から図中下向きの力が作用する。これにより、ベース基板４００と放熱フィン８００との間の熱伝導グリースがより薄く広がり、ベース基板４００と放熱フィン８００との間の放熱性が向上する。さらに、ベース基板４００の外側に広がった熱伝導グリースは、ベース基板４００の周囲を埋め、ベース基板４００の周囲の気密性が増加して、気泡の混入等が抑制されて放熱性の低下を防止することができる。このようにして放熱フィン８００が取り付けられた半導体装置１００は放熱性が向上する。
【００４０】
また、ねじ孔５３０の形状を長方形または楕円形とすることにより、収納部材５００からベース基板４００の加わる力の方向を一致させやすくなる。
次に、このような半導体装置１００の製造方法について図４を用いて説明する。
【００４１】
図４は、第２の実施の形態に係る半導体装置の製造方法を説明するための図である。
なお、図４（Ａ）は、半導体装置１００の裏面（放熱フィン８００の取り付け）側の平面図である。図４（Ｂ）〜（Ｄ）は、各製造工程における、図４（Ａ）の樹脂ケース５００の破線Ａ−Ａ（上側のグラフ）並びにベース基板４００の二点鎖線Ｂ−Ｂ（下側のグラフ）における反り量をそれぞれ表している。図４（Ｂ）〜（Ｄ）は、縦軸は反り量［μｍ］、横軸は樹脂ケース５００の破線Ａ−Ａ並びにベース基板４００の長手方向の位置に対応させてそれぞれ示している。
【００４２】
まず、横４３ｍｍ×縦２６ｍｍ×厚さ３．６ｍｍ程度、ねじ孔５３０の間隔３６ｍｍの予め反って底面側の主面が凹状となった状態の樹脂ケース５００を用意する。また、半導体素子２００である例えばスイッチング素子（図示を省略）等をはんだ付けした、横３０ｍｍ×縦１３ｍｍ程度の、同様に予め反った状態のベース基板４００が設置された回路基板３００（図示を省略）を用意する。用意した樹脂ケース５００と回路基板３００を組み合わせる。組み合わせる際には、樹脂ケース５００の収納領域５１０にベース基板４００を外側（放熱フィン８００が設置される側）に向けるようにする。
【００４３】
この場合、図４（Ｂ）に示すように、樹脂ケース５００は凹状であってその最大反り量（上側のグラフ中の矢印の範囲）は、１５３μｍ程度であり、ベース基板４００も樹脂ケース５００と同方向に反っており、その最大反り量（下側のグラフ中の矢印の範囲）は２３μｍ程度である。
【００４４】
次いで、このようにして取り付けた回路基板３００と樹脂ケース５００とを接着剤にて接着する。なお、接着剤としては、エポキシ樹脂、シリコーン樹脂等を用いることができる。この場合、図４（Ｃ）に示すように、樹脂ケース５００の最大反り量は２３５μｍ程度反っており、ベース基板４００も樹脂ケース５００と同方向に反っており、その最大反り量は３０μｍ程度である。
【００４５】
このようにして樹脂ケース５００の収納領域５１０に収納して接着された回路基板３００に対して、半導体素子２００並びにアルミワイヤ２１０を封止樹脂５５０で封止する（例えば、図２（Ｂ）参照）。この場合の樹脂ケース５００の最大反り量は、図４（Ｄ）に示すように、１２６μｍ程度である。一方、ベース基板４００は、封止樹脂５５０により放熱フィン８００の取り付け側に向けて押圧されることにより、樹脂ケース５００と反対方向に反るようになり、その反り量は４５μｍ程度である。
【００４６】
以上のように、予め同じ方向に反った樹脂ケース５００及びベース基板４００を、製造過程において所望の方向に反らせるようにして、上記半導体装置１００を容易に製造することができる。
【００４７】
なお、上記で説明した半導体装置１００の製造方法では、予め反りが生じている状態の樹脂ケース５００及びベース基板４００を製造過程において所望の反りを生じさせるようにした。この場合に限らず、樹脂ケース５００に、凹状の収納領域を加工して形成し、ベース基板４００の形状を凸状に加工して形成して、樹脂ケース５００に対してベース基板４００を設置して半導体装置１００を製造することも可能である。
【００４８】
次に、半導体装置の様々な形態について図５を用いて説明する。
図５は、第２の実施の形態に係る別の半導体装置を説明するための図である。
なお、図５（Ａ）は、半導体装置１００ｂの断面図を示しており、当該半導体装置１００ｂは、図５（Ａ）に示すように、半導体装置１００に対して、ベース基板４００ａのみが異なり、他の構成は半導体装置１００と同様の構成である。また、図５（Ｂ）は、半導体装置１００ｃの樹脂ケース５００ｂの裏面側を模式的に示しており、図２（Ａ）に対応して一点鎖線Ｘ−Ｘ，Ｙ−Ｙを図示している。
【００４９】
上記の半導体装置１００では、ベース基板４００の頂点部が、樹脂ケース５００の収納領域５１０内に完全に収まるような高さサイズである場合について説明した。
一方、半導体装置１００ｂでは、ベース基板４００ａは、樹脂ケース５００の収納領域５１０内に完全に収めず、ベース基板４００ａの頂点部が収納領域５１０ａから数μｍ程度突出するような高さサイズにしている。
【００５０】
ベース基板４００ａをこのようなサイズにしておくことで、半導体装置１００ｂを熱伝導グリースを介して放熱フィン８００に設置した時点で、当該ベース基板４００ａの頂点部が熱伝導グリースを押圧する。その後、半導体装置１００ｂと放熱フィン８００とをねじ７００により締結した際に、ベース基板４００ａの頂点部に熱伝導グリースが引き続き押圧されて、安定して広がって薄く延びるようになる。
【００５１】
このようにベース基板４００ａの頂点部を、収納領域５１０ａから数μｍ程度突出するようなサイズにすることで、半導体装置１００ｂと放熱フィン８００との締結により熱伝導グリースを安定して薄く延ばすことができるようになる。
【００５２】
また、上記の半導体装置１００では、ベース基板４００は、凸状の山型であったが、山型に限らず凸状であればよく、例えば、図５（Ｂ）に示すように、一点鎖線Ｘ−Ｘでの断面がＵ字状であって、一点鎖線Ｙ−Ｙでの断面が長方形型であっても（所謂かまぼこ型）構わない。
【００５３】
この場合のねじ孔５３０ｂは、一点鎖線Ｘ−Ｘの方向に長い長方形または楕円形とすることが望ましい。なお、図５（Ｂ）では長方形の場合を示している。半導体装置１００ｃに放熱フィン８００を締結する際に、放熱フィン８００がベース基板４００ａの外面に沿って動いてしまう恐れがある。そこで、ねじ孔５３０ｂをこのような形状にすることで、動く放熱フィン８００をねじ７００で確実に螺合することが可能となる。例えば、ねじ孔５３０ｂは、寸法公差±０．３ｍｍ程度を考慮した、規格がＭ３のねじ７００を締結可能となるように、ねじ７００の径に対して０．５ｍｍ程度大きい３．５ｍｍの円形を基本とする。さらに、ねじ孔３５０ｂのピッチの公差を±０．３ｍｍ程度を考慮して、当該ピッチ方向に±０．５ｍｍ程度広く取った、楕円のような形状であることが好ましい。
【００５４】
このように図５に示す場合でも、上記と同様に、放熱フィン８００がねじ７００により締結された半導体装置１００ｂ，１００ｃは、放熱フィン８００に対して収納領域５１０，５１０ａの縁部５２０を支点として、放熱フィン８００に対して下に凸状のベース基板４００ａ，４００ｂから図中下向きの力が作用する。これにより、ベース基板４００ａ，４００ｂと放熱フィン８００との間の熱伝導グリースがより薄く広がり、ベース基板４００ａ，４００ｂと放熱フィン８００との間の放熱性が向上する。さらに、ベース基板４００ａ，４００ｂの外側に広がった熱伝導グリースは、ベース基板４００ａ，４００ｂの周囲を埋め、ベース基板４００ａ，４００ｂの周囲の気密性が増加して、気泡の混入等が抑制されて放熱性の低下を防止することができる。このようにして放熱フィン８００が取り付けられた半導体装置１００ｂ，１００ｃは放熱性が向上する。
【００５５】
なお、上述した実施の形態は、本発明を具体化した例を示すものであり、したがって、本発明はこれらの実施の形態に限定されるものではなく、本発明の趣旨を外れることなく種々の変形が可能である。例えば、回路基板３００として、絶縁基板３１０の両面に金属箔からなる回路層（図示を省略）をそれぞれ形成したものを用い、一方の回路層に半導体素子２００を接合し、他方の回路層に金属基板を接合してもよい。
【００５６】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【００５７】
１０  半導体装置
２０  半導体素子
３０  回路基板
４０  金属基板
５０  収納部材
５１  収納領域
５１ａ  主面
５２  縁部
５３  ねじ孔
５４  開口部
５５  樹脂
７０  ねじ部材
８０  放熱部材
８１  熱伝導材
【図１】
2014041936.tif 000003
【図２】
2014041936.tif 000004
【図３】
2014041936.tif 000005
【図４】
2014041936.tif 000006
【図５】
2014041936.tif 000007
【手続補正書】
【提出日】平成26年10月7日(2014.10.7)
【手続補正１】
【補正対象書類名】明細書
【補正対象項目名】００４９
【補正方法】変更
【補正の内容】
【００４９】
上記の半導体装置１００では、ベース基板４００の頂点部が、樹脂ケース５００の収納領域５１０内に完全に収まるような高さサイズである場合について説明した。
一方、半導体装置１００ｂでは、ベース基板４００ａは、樹脂ケース５００の収納領域５１０ａ内に完全に収めず、ベース基板４００ａの頂点部が収納領域５１０ａから数μｍ程度突出するような高さサイズにしている。
【手続補正２】
【補正対象書類名】明細書
【補正対象項目名】００５３
【補正方法】変更
【補正の内容】
【００５３】
この場合のねじ孔５３０ｂは、一点鎖線Ｘ−Ｘの方向に長い長方形または楕円形とすることが望ましい。なお、図５（Ｂ）では長方形の場合を示している。半導体装置１００ｃに放熱フィン８００を締結する際に、放熱フィン８００がベース基板４００ａの外面に沿って動いてしまう恐れがある。そこで、ねじ孔５３０ｂをこのような形状にすることで、動く放熱フィン８００をねじ７００で確実に螺合することが可能となる。例えば、ねじ孔５３０ｂは、寸法公差±０．３ｍｍ程度を考慮した、規格がＭ３のねじ７００を締結可能となるように、ねじ７００の径に対して０．５ｍｍ程度大きい３．５ｍｍの円形を基本とする。さらに、ねじ孔５３０ｂのピッチの公差を±０．３ｍｍ程度を考慮して、当該ピッチ方向に±０．５ｍｍ程度広く取った、楕円のような形状であることが好ましい。
【国際調査報告】
2014041936.tif 000008
2014041936.tif 000009
2014041936.tif 000010
2014041936.tif 000011